(57)【要約】【課題】  袋の開口が容易である合成樹脂フィルム製のジッパー付袋を提供する。【解決手段】  ジッパー付袋１は、合成樹脂フィルムを重ねたものの両端をヒートシールにより接着したものからなり、袋部３と、合成樹脂フィルムの内側に配置されたジッパー部４と、ジッパー部４から開口部５までの間の合成樹脂フィルムよりなるつまみ片６ａ及び６ｂとを備える。つまみ片６ａ及びつまみ片６ｂには親指大の第１切欠き１０及び第２切欠き１１が形成されており、これらは互いに重なり合わない位置に配置されている。使用時にあっては、第１切欠き１０に指を入れてつまみ片６ｂを左手で掴んで他方のつまみ片６ａから離し、他方のつまみ片６ａを右手で掴む。このように、つまみ片６ａとつまみ片６ｂとを掴むことが容易となり、ジッパー付袋１の開口が容易となる。【選択図】  図２
2009057107.tif 000002
【特許請求の範囲】
【請求項１】
ジッパー部と開口部との間に、つまみ片として重ね合わされた一対の合成樹脂フィルムを備えたジッパー付袋において、
前記合成樹脂フィルムの一方に少なくとも１つの第１切欠きが形成されたことを特徴とする、ジッパー付袋。
【請求項２】
前記第１切欠きは親指大に形成された、請求項１記載のジッパー付袋。
【請求項３】
前記合成樹脂フィルムの他方に、前記第１切欠きとほぼ同一の大きさであって少なくとも１つの第２切欠きが形成され、
前記第１切欠きと前記第２切欠きとは重なり合わない、請求項１または請求項２記載のジッパー付袋。
【請求項４】
前記合成樹脂フィルムの他方に、前記第１切欠きとほぼ同一の大きさであって少なくとも１つの第２切欠きが形成され、
前記第１切欠きと前記第２切欠きとはその一部が重なり合う、請求項１または請求項２記載のジッパー付袋。
【請求項５】
前記第１切欠きが形成された前記合成樹脂フィルムの一方のみが着色される、請求項１から請求項４のいずれかに記載のジッパー付袋。
【請求項６】
前記第１切欠きが形成された前記合成樹脂フィルムの一方と、
前記第２切欠きが形成された前記合成樹脂フィルムの他方とは、それぞれ異なった色で着色される、請求項３または請求項４記載のジッパー付袋。
【発明の詳細な説明】
【技術分野】
【０００１】
この発明はジッパー付袋に関し、特に合成樹脂フィルムからなるジッパー付袋に関するものである。
【背景技術】
【０００２】
図７は、従来の合成樹脂フィルムからなるジッパー付袋の一部破断斜視図である。
【０００３】
図を参照して、ジッパー付袋６１は、透明な合成樹脂フィルムを重ねたものの両端をヒートシールにより接着したものからなり、袋部３と、合成樹脂フィルムの内側に配置されたジッパー部４と、ジッパー部４から開口部５までの間に重ね合わされた合成樹脂フィルムからなるつまみ片６６ａ及び６６ｂとを備える。尚、つまみ片６６ｂはつまみ片６６ａよりもジッパー部４からの幅が広くなるよう形成されているためつまみ片６６ｂのみが現れる部分が生じ、つまみ片６６ｂのみを掴むことが可能となっている。その結果、つまみ片６６ａとつまみ片６６ｂとを離しやすくなり、ジッパー付袋６１の開口が容易となる。
【０００４】
しかし、上記のようなジッパー付袋にあっては、つまみ片６６ａとつまみ片６６ｂとの幅の差が小さいと、つまみ片６６ｂが掴みにくく、開けにくいものとなっていた。
【０００５】
そこで、特許文献１に示されているような合成樹脂製袋体が提案されている。
【０００６】
上記の合成樹脂製袋体では、幅の相違するつまみ片の縁部にそれぞれリブが形成されており、このリブの外側を指先で摘んで相互にずらすことで袋口部の開口が可能となる。よって、つまみ片同士の幅の差が小さくてもつまみ片同士を離しやすい。
【特許文献１】実開平５−８４６４３号公報
【発明の開示】
【発明が解決しようとする課題】
【０００７】
上記のような従来の合成樹脂製袋体では、手が濡れている場合や、握力が弱い場合などにおいてはリブをずらすことが難しく、開けにくいものとなっていた。
【０００８】
この発明は、上記のような課題を解決するためになされたもので、袋の開口が容易である合成樹脂フィルム製のジッパー付袋を提供することを目的とする。
【課題を解決するための手段】
【０００９】
上記の目的を達成するために、請求項１記載の発明は、ジッパー部と開口部との間に、つまみ片として重ね合わされた一対の合成樹脂フィルムを備えたジッパー付袋において、合成樹脂フィルムの一方に少なくとも１つの第１切欠きが形成されたことを特徴とするものである。
【００１０】
このように構成すると、つまみ片に、一枚の合成樹脂フィルムのみからなる部分が生じる。
【００１１】
請求項２記載の発明は、請求項１記載の発明の構成において、第１切欠きは親指大に形成されたものである。
【００１２】
このように構成すると、第１切欠きに指を差し込みやすくなる。
【００１３】
請求項３記載の発明は、請求項１または請求項２記載の発明の構成において、合成樹脂フィルムの他方に、第１切欠きとほぼ同一の大きさであって少なくとも１つの第２切欠きが形成され、第１切欠きと第２切欠きとは重なり合わないものである。
【００１４】
このように構成すると、袋の表裏のどちらのつまみ片にも、一枚の合成樹脂フィルムのみからなる部分が生じる。
【００１５】
請求項４記載の発明は、請求項１または請求項２記載の発明の構成において、合成樹脂フィルムの他方に、第１切欠きとほぼ同一の大きさであって少なくとも１つの第２切欠きが形成され、第１切欠きと第２切欠きとは少なくともその一部が重なり合うものである。
【００１６】
このように構成すると、第１切欠き及び第２切欠きを介して、第１切欠き端部と第２切欠き端部とが現れる。
【００１７】
請求項５記載の発明は、請求項１から請求項４のいずれかに記載の発明の構成において、第１切欠きが形成された合成樹脂フィルムの一方のみが着色されるものである。
【００１８】
このように構成すると、第１切欠きの部分を介して合成樹脂フィルムの他方の色が視認される。
【００１９】
請求項６記載の発明は、請求項３または請求項４記載の発明の構成において、第１切欠きが形成された合成樹脂フィルムの一方と、第２切欠きが形成された合成樹脂フィルムの他方とは、それぞれ異なった色で着色されるものである。
【００２０】
このように構成すると、第１切欠きを介して第２切欠きを有する合成樹脂フィルムの他方の色が、第２切欠きを介して第１切欠きを有する合成樹脂フィルムの一方の色が、それぞれ視認される。
【発明の効果】
【００２１】
以上説明したように、請求項１記載の発明は、つまみ片に、一枚のフィルムのみからなる部分が生じるので、合成樹脂フィルムの片方のみを掴み、合成樹脂フィルム同士を離すことが容易となる。
【００２２】
請求項２記載の発明は、切欠きに指を差し込みやすくなるので、合成樹脂フィルムの片方のみを掴むことが容易となる。
【００２３】
請求項３記載の発明は、袋の表裏のどちらのつまみ片にも、一枚の合成樹脂フィルムのみからなる部分が生じるので、袋の表裏のどちらからも、合成樹脂フィルムの片方のみを掴んで合成樹脂フィルム同士を離すことが容易となる。
【００２４】
請求項４記載の発明は、請求項１または請求項２記載の発明の効果に加えて、第１切欠き端部と第２切欠き端部とが同時に掴めるので、合成樹脂フィルム同士を離すことが更に容易となる。
【００２５】
請求項５記載の発明は、請求項１から請求項４のいずれかに記載の発明の効果に加えて、第１切欠きを有する合成樹脂フィルムの一方も透明であるものに比べて、第１切欠きの位置が明確になり、合成樹脂フィルムの片方のみを掴むことが容易となる。
【００２６】
請求項６記載の発明は、請求項３または請求項４記載の発明の効果に加えて、合成樹脂フィルムの少なくとも一方が透明であるものに比べて、第１切欠き及び第２切欠きの位置が明確になり、袋の表裏のどちらからも合成樹脂フィルムの片方のみを掴むことが容易となる。
【発明を実施するための最良の形態】
【００２７】
図１は、この発明の第１の実施の形態によるジッパー付袋の正面図であり、図２は、図１で示したジッパー付袋の斜視図であって、先の従来技術の図７に対応する図である。
【００２８】
これらの図を参照して、従来技術によるジッパー付袋６１のうち、つまみ片６６ａ及び６６ｂが、つまみ片６ａ及び６ｂに置き換えられている。尚、他のジッパー付袋１の構成要素は従来技術のものと同一であるため、ここでの説明は繰り返さない。
【００２９】
つまみ片６ａ及びつまみ片６ｂには親指大の第１切欠き１０及び第２切欠き１１が形成されており、これらは互いに重なり合わない位置に配置されている。
【００３０】
このように構成すると、第１切欠き１０及び第２切欠き１１の部分のみ、つまみ片６としての合成樹脂フィルムが一枚となる。すなわち、ジッパー付袋１の表裏のどちらのつまみ片６にも、一枚の合成樹脂フィルムのみからなる部分が生じる。
【００３１】
図３は、図２で示したジッパー付袋の使用状態を示した拡大斜視図である。
【００３２】
図を参照して、第１切欠き１０に左手の親指１６を入れ、つまみ片６ｂを掴む。この状態でつまみ片６ｂをつまみ片６ａから離れるように倒すと、つまみ片６ａとつまみ片６ｂとの間に隙間が生じる。この隙間に右手の親指１７を入れて、つまみ片６ａを掴む。そして、つまみ片６ａとつまみ片６ｂとを互いにジッパー付袋１から向かって外側方向に引っ張る。すると、ジッパー部４にも外側方向の力が働いてジッパー部４が開放されるため、ジッパー付袋１が開口される。
【００３３】
このようにして、つまみ片６ａ及びつまみ片６ｂを掴んでこれらを互いに離すことが容易となる。
【００３４】
図４は、この発明の第２の実施の形態によるジッパー付袋の正面図であって、先の第１の実施の形態の図１に対応する図である。
【００３５】
図を参照して、第１の実施の形態によるジッパー付袋１の構成要素のうち、図において手前側のつまみ片６ａのみが着色されている。又、透明なつまみ片６ｂには第２切欠き１１が形成されていない。尚、他のジッパー付袋１の構成要素は第１の実施の形態によるものと同一であるため、ここでの説明は繰り返さない。又、図４におけるつまみ片６ａのハッチングは、着色されている部分を説明するために便宜上付したものであり、実際のつまみ片６ａには表れない。
【００３６】
このように構成すると、第１切欠き１０を介して視認されるつまみ片６ｂの色と、つまみ片６ａの色とが異なるため、つまみ片６ａも透明であるものに比べて第１切欠き１０の位置がいずれの側からも明確となり、つまみ片６ｂを掴むことが容易となる。
【００３７】
図５は、この発明の第３の実施の形態によるジッパー付袋の斜視図であって、先の第１の実施の形態の図２に対応する図である。
【００３８】
図を参照して、第１の実施の形態によるジッパー付袋１の構成要素のうち、第１切欠き１０と第２切欠き１１とは、互いにその一部が重なり合い、ジッパー付袋１の中央付近に形成されている。尚、他のジッパー付袋１の構成要素は第１の実施の形態によるものと同一であるため、ここでの説明は繰り返さない。
【００３９】
このように構成すると、第１切欠き１０を介して第２切欠き端部１４が視認され、第２切欠き１１を介して第１切欠き端部１３が視認される。そのため、第１切欠き端部１３及び第２切欠き端部１４を同時に触れることが可能となる。
【００４０】
更に、ジッパー付袋１の向きに関係無く、第１切欠き端部１３と第２切欠き端部１４とに触れることが可能となる。
【００４１】
図６は、図５で示したジッパー付袋の使用状態を示した拡大斜視図である。
【００４２】
図を参照して、使用に際しては、第２切欠き１１を介して視認されるつまみ片６ａの第１切欠き端部１３を右手の親指１７と人指し指１９とで挟む。同様に、第１切欠き１０を介して視認されるつまみ片６ｂの第２切欠き端部１４を左手の親指１６と人指し指１８とで挟む。これらの動作は、第１切欠き端部１３と第２切欠き端部１４とがいずれも他の部分と重なりあっていないため、極めて容易となる。そして、第１切欠き端部１３と第２切欠き端部１４とをジッパー付袋１から向かって互いに外側方向に引っ張る。すると、つまみ片６ａ及び６ｂとジッパー部４とにも外側方向の力が働いてジッパー部４が開放されるため、ジッパー付袋１が開口される。
【００４３】
このようにして、第１切欠き端部１３及び第２切欠き端部１４を掴んでつまみ片６ａ及び６ｂを動かすことが可能となる。
【００４４】
又、ジッパー部４が中央付近から開放されるため、ジッパー部４が端から開放される場合に比べて、ジッパー付袋１の全体の開口に要する時間が短くなる。
【００４５】
更に、ジッパー部４が中央付近に力が加わって開放されるため、ジッパー部４が端から開放される場合に比べて、ジッパー付袋１の開口に要する力は小さくて良い。
【００４６】
尚、上記の第１の実施の形態では、切欠きが二つ形成されていたが、切欠きは少なくとも１つ形成されていればよい。
【００４７】
又、上記の各実施の形態では、切欠きの大きさを親指大としていたが、必ずしもこの大きさでなくてもよい。
【００４８】
更に、上記の第１の実施の形態及び第３の実施の形態では、第１切欠きと第２切欠きの大きさが同じ大きさとされていたが、これらは異なっていてもよい。
【００４９】
更に、上記の第２の実施の形態では、切欠きが１つ形成されていたが、切欠きは２つ以上形成されていてもよく、他方のつまみ片に形成されていてもよい。
【００５０】
更に、上記の第２の実施の形態では、第１切欠きを有するつまみ片のみが着色されていたが、他方のつまみ片にのみ着色されていてもよい。
【００５１】
更に、上記の第２の実施の形態では、第１切欠きを有するつまみ片のみが着色されていたが、それぞれのつまみ片に、互いに異なる色で着色されていてもよい。
【００５２】
更に、上記の第３の実施の形態では、第１切欠き及び第２切欠きはジッパー付袋の中央付近に形成されていたが、つまみ片上であればどの位置でもよい。
【００５３】
更に、上記の第３の実施の形態では、つまみ片のどちらもが着色されていなかったが、つまみ片の一方のみが着色されていてもよいし、それぞれのつまみ片が互いに異なる色で着色されていてもよい。
【００５４】
更に、上記の各実施の形態では、つまみ片同士の高さが揃っているが、図７の従来例のように、これらの高さが異なっていてもよい。
【図面の簡単な説明】
【００５５】
【図１】この発明の第１の実施の形態によるジッパー付袋の正面図である。
【図２】図１で示したジッパー付袋の斜視図である。
【図３】図２で示したジッパー付袋の使用状態を示した拡大斜視図である。
【図４】この発明の第２の実施の形態によるジッパー付袋の正面図であって、先の第１の実施の形態の図１に対応する図である。
【図５】この発明の第３の実施の形態によるジッパー付袋の斜視図であって、先の第１の実施の形態の図２に対応する図である。
【図６】図５で示したジッパー付袋の使用状態を示した拡大斜視図である。
【図７】従来の合成樹脂フィルムからなるジッパー付袋の一部破断斜視図である。
【符号の説明】
【００５６】
１…ジッパー付袋
４…ジッパー部
５…開口部
６ａ、６ｂ…つまみ片
１０…第１切欠き
１１…第２切欠き
１３…第１切欠き端部
１４…第２切欠き端部
尚、各図中同一符号は同一又は相当部分を示す。
【図１】
2009057107.tif 000003
【図２】
2009057107.tif 000004
【図３】
2009057107.tif 000005
【図４】
2009057107.tif 000006
【図５】
2009057107.tif 000007
【図６】
2009057107.tif 000008
【図７】
2009057107.tif 000009